【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
打球発射装置により発射されて遊技盤に区画形成される遊技領域を流下する遊技球を受け入れることができる複数の受入口が遊技領域の所定位置にそれぞれ配置されるパチンコ遊技機であって、
矩形箱状を有し、当該矩形箱状の一の検出側面に対して水平方向と比べて垂直方向に感度が強い指向性を有する第１の検出領域内における磁気を検出するとともに、該一の検出側面と反対側の他の検出側面に対して水平方向と比べて垂直方向に感度が強い指向性を有する第２の検出領域内における磁気を検出する磁気検出手段と、
該磁気検出手段が前記第１の検出領域内における磁気と前記第２の検出領域内における磁気とを検出した旨を伝える磁気検出信号が入力される入力回路を有する入力回路基板と、
所定の磁気異常報知を実行可能な磁気異常報知実行手段と、を備え、
前記磁気検出手段は、複数設けられ、
前記複数の磁気検出手段のうち第１の磁気検出手段は、前記複数の受入口のうち第１の特定受入口が当該第１の磁気検出手段の前記第１の検出領域内に入る位置となるように、かつ、前記複数の受入口のうち前記第１の特定受入口が配置される位置と異なる位置に配置される第２の特定受入口が当該第１の磁気検出手段の前記第２の検出領域内に入る位置となるように、前記遊技盤の所定位置に配置され、前記第１の特定受入口に近づく磁石の磁気と、前記第２の特定受入口に近づく磁石の磁気と、をそれぞれ検出して前記磁気検出信号を前記入力回路基板の入力回路に出力し得るものであり、
前記複数の磁気検出手段のうち第２の磁気検出手段は、前記第１の特定受入口が当該第２の磁気検出手段の前記第１の検出領域および前記第２の検出領域のうちの一方に入る位置となるように、前記遊技盤の前記第１の磁気検出手段が配置される位置とは異なる位置に配置され、前記第１の特定受入口に近づく磁石の磁気を検出して前記磁気検出信号を前記入力回路基板の入力回路に出力し得るものであり、
前記第１の特定受入口に近づく磁石の磁気の検出を前記第１の磁気検出手段と前記第２の磁気検出手段とを併用して行うことが可能であって、
前記入力回路基板と前記第１の磁気検出手段とを電気的に接続するための配線と、前記入力回路基板と前記第２の磁気検出手段とを電気的に接続するための配線と、のうちの少なくとも一方の配線に断線又は該配線が外れているときには、当該入力回路基板の入力回路に前記磁気検出信号が入力されているときの論理状態が維持されるように当該入力回路基板の入力回路が構成されており、
前記磁気異常報知実行手段は、
前記入力回路基板と前記第１の磁気検出手段とを電気的に接続するための配線と、前記入力回路基板と前記第２の磁気検出手段とを電気的に接続するための配線とのうちの少なくとも一方の配線に断線又は該配線が外れているときには、前記磁気検出信号が前記入力回路に入力されたときと同様の磁気異常報知を実行可能である
ことを特徴とするパチンコ遊技機。
【請求項２】
打球発射装置により発射されて遊技盤に区画形成される遊技領域を流下する遊技球を受け入れることができる複数の受入口が遊技領域の所定位置にそれぞれ配置されるパチンコ遊技機であって、
矩形箱状を有し、当該矩形箱状の一の検出側面に対して水平方向と比べて垂直方向に感度が強い指向性を有する第１の検出領域内における磁気を検出するとともに、該一の検出側面と反対側の他の検出側面に対して水平方向と比べて垂直方向に感度が強い指向性を有する第２の検出領域内における磁気を検出する磁気検出手段と、
該磁気検出手段が前記第１の検出領域内における磁気と前記第２の検出領域内における磁気とを検出した旨を伝える磁気検出信号が入力される入力回路を有する入力回路基板と、
所定の磁気異常報知を実行可能な磁気異常報知実行手段と、を備え、
前記磁気検出手段は、複数設けられ、
前記複数の磁気検出手段のうち第１の磁気検出手段は、前記遊技領域のうち第１部位が当該第１の磁気検出手段の前記第１の検出領域内に入る位置となるように、かつ、前記遊技領域のうちの前記第１部位とは異なる第２部位が当該第１の磁気検出手段の前記第２の検出領域内に入る位置となるように、前記遊技盤の所定位置に配置され、前記第１部位に近づく磁石の磁気と、前記第２部位に近づく磁石の磁気と、をそれぞれ検出して前記磁気検出信号を前記入力回路基板の入力回路に出力し得るものであり、
前記複数の磁気検出手段のうち第２の磁気検出手段は、前記第１部位が当該第２の磁気検出手段の前記第１の検出領域および前記第２の検出領域のうちの一方に入る位置となるように、前記遊技盤の前記第１の磁気検出手段が配置される位置とは異なる位置に配置され、前記第１部位に近づく磁石の磁気を検出して前記磁気検出信号を前記入力回路基板の入力回路に出力し得るものであり、
前記第１部位に近づく磁石の磁気の検出を前記第１の磁気検出手段と前記第２の磁気検出手段とを併用して行うことが可能であって、
前記入力回路基板と前記第１の磁気検出手段とを電気的に接続するための配線と、前記入力回路基板と前記第２の磁気検出手段とを電気的に接続するための配線と、のうちの少なくとも一方の配線に断線又は該配線が外れているときには、当該入力回路基板の入力回路に前記磁気検出信号が入力されているときの論理状態が維持されるように当該入力回路基板の入力回路が構成されており、
前記磁気異常報知実行手段は、
前記入力回路基板と前記第１の磁気検出手段とを電気的に接続するための配線と、前記入力回路基板と前記第２の磁気検出手段とを電気的に接続するための配線とのうちの少なくとも一方の配線に断線又は該配線が外れているときには、前記磁気検出信号が前記入力回路に入力されたときと同様の磁気異常報知を実行可能である
ことを特徴とするパチンコ遊技機。
【手続補正２】
【補正対象書類名】明細書
【補正対象項目名】０００８
【補正方法】変更
【補正の内容】
【０００８】
（解決手段１）
打球発射装置により発射されて遊技盤に区画形成される遊技領域を流下する遊技球を受け入れることができる複数の受入口が遊技領域の所定位置にそれぞれ配置されるパチンコ遊技機であって、
矩形箱状を有し、当該矩形箱状の一の検出側面に対して水平方向と比べて垂直方向に感度が強い指向性を有する第１の検出領域内における磁気を検出するとともに、該一の検出側面と反対側の他の検出側面に対して水平方向と比べて垂直方向に感度が強い指向性を有する第２の検出領域内における磁気を検出する磁気検出手段と、
該磁気検出手段が前記第１の検出領域内における磁気と前記第２の検出領域内における磁気とを検出した旨を伝える磁気検出信号が入力される入力回路を有する入力回路基板と、
所定の磁気異常報知を実行可能な磁気異常報知実行手段と、を備え、
前記磁気検出手段は、複数設けられ、
前記複数の磁気検出手段のうち第１の磁気検出手段は、前記複数の受入口のうち第１の特定受入口が当該第１の磁気検出手段の前記第１の検出領域内に入る位置となるように、かつ、前記複数の受入口のうち前記第１の特定受入口が配置される位置と異なる位置に配置される第２の特定受入口が当該第１の磁気検出手段の前記第２の検出領域内に入る位置となるように、前記遊技盤の所定位置に配置され、前記第１の特定受入口に近づく磁石の磁気と、前記第２の特定受入口に近づく磁石の磁気と、をそれぞれ検出して前記磁気検出信号を前記入力回路基板の入力回路に出力し得るものであり、
前記複数の磁気検出手段のうち第２の磁気検出手段は、前記第１の特定受入口が当該第２の磁気検出手段の前記第１の検出領域および前記第２の検出領域のうちの一方に入る位置となるように、前記遊技盤の前記第１の磁気検出手段が配置される位置とは異なる位置に配置され、前記第１の特定受入口に近づく磁石の磁気を検出して前記磁気検出信号を前記入力回路基板の入力回路に出力し得るものであり、
前記第１の特定受入口に近づく磁石の磁気の検出を前記第１の磁気検出手段と前記第２の磁気検出手段とを併用して行うことが可能であって、
前記入力回路基板と前記第１の磁気検出手段とを電気的に接続するための配線と、前記入力回路基板と前記第２の磁気検出手段とを電気的に接続するための配線と、のうちの少なくとも一方の配線に断線又は該配線が外れているときには、当該入力回路基板の入力回路に前記磁気検出信号が入力されているときの論理状態が維持されるように当該入力回路基板の入力回路が構成されており、
前記磁気異常報知実行手段は、
前記入力回路基板と前記第１の磁気検出手段とを電気的に接続するための配線と、前記入力回路基板と前記第２の磁気検出手段とを電気的に接続するための配線とのうちの少なくとも一方の配線に断線又は該配線が外れているときには、前記磁気検出信号が前記入力回路に入力されたときと同様の磁気異常報知を実行可能である
ことを特徴とするパチンコ遊技機。
（解決手段２）
打球発射装置により発射されて遊技盤に区画形成される遊技領域を流下する遊技球を受け入れることができる複数の受入口が遊技領域の所定位置にそれぞれ配置されるパチンコ遊技機であって、
矩形箱状を有し、当該矩形箱状の一の検出側面に対して水平方向と比べて垂直方向に感度が強い指向性を有する第１の検出領域内における磁気を検出するとともに、該一の検出側面と反対側の他の検出側面に対して水平方向と比べて垂直方向に感度が強い指向性を有する第２の検出領域内における磁気を検出する磁気検出手段と、
該磁気検出手段が前記第１の検出領域内における磁気と前記第２の検出領域内における磁気とを検出した旨を伝える磁気検出信号が入力される入力回路を有する入力回路基板と、
所定の磁気異常報知を実行可能な磁気異常報知実行手段と、を備え、
前記磁気検出手段は、複数設けられ、
前記複数の磁気検出手段のうち第１の磁気検出手段は、前記遊技領域のうち第１部位が当該第１の磁気検出手段の前記第１の検出領域内に入る位置となるように、かつ、前記遊技領域のうちの前記第１部位とは異なる第２部位が当該第１の磁気検出手段の前記第２の検出領域内に入る位置となるように、前記遊技盤の所定位置に配置され、前記第１部位に近づく磁石の磁気と、前記第２部位に近づく磁石の磁気と、をそれぞれ検出して前記磁気検出信号を前記入力回路基板の入力回路に出力し得るものであり、
前記複数の磁気検出手段のうち第２の磁気検出手段は、前記第１部位が当該第２の磁気検出手段の前記第１の検出領域および前記第２の検出領域のうちの一方に入る位置となるように、前記遊技盤の前記第１の磁気検出手段が配置される位置とは異なる位置に配置され、前記第１部位に近づく磁石の磁気を検出して前記磁気検出信号を前記入力回路基板の入力回路に出力し得るものであり、
前記第１部位に近づく磁石の磁気の検出を前記第１の磁気検出手段と前記第２の磁気検出手段とを併用して行うことが可能であって、
前記入力回路基板と前記第１の磁気検出手段とを電気的に接続するための配線と、前記入力回路基板と前記第２の磁気検出手段とを電気的に接続するための配線と、のうちの少なくとも一方の配線に断線又は該配線が外れているときには、当該入力回路基板の入力回路に前記磁気検出信号が入力されているときの論理状態が維持されるように当該入力回路基板の入力回路が構成されており、
前記磁気異常報知実行手段は、
前記入力回路基板と前記第１の磁気検出手段とを電気的に接続するための配線と、前記入力回路基板と前記第２の磁気検出手段とを電気的に接続するための配線とのうちの少なくとも一方の配線に断線又は該配線が外れているときには、前記磁気検出信号が前記入力回路に入力されたときと同様の磁気異常報知を実行可能である
ことを特徴とするパチンコ遊技機。